(57)【特許請求の範囲】
【請求項１】
テレビ接続端子及び支持部材取付用の係合部を有するユニット本体と、
前記係合部に対して着脱自在に係合し、直列ユニット固定部に対して所定の方向に取付ねじで螺着されて前記ユニット本体を支持する支持部材とを備え、
前記支持部材は、
前記取付ねじが挿入されるねじ取付孔が形成されたねじ取付部と、
前記ねじ取付部に対して前記係合部の方向に突設された略矩形状をなし、かつその略矩形状の平面が前記所定の方向と平行に配置された係合片と、
を有することを特徴とする直列ユニット。
【請求項２】
前記係合部は、前記ユニット本体における対向する第１及び第２の側面のうちの第１の側面に形成された第１の嵌合溝と、前記第２の側面に形成された第２の嵌合溝とで構成し、
前記係合片は、前記第１の嵌合溝に嵌合する第１の係合爪と、前記第２の嵌合溝に嵌合する第２の係合爪とを有し、前記第１と第２の係合爪によって両側から前記第１及び第２の嵌合溝を挟持する構成にしたことを特徴とする請求項１記載の直列ユニット。
【請求項３】
前記係合部は、前記ユニット本体に形成された第１の嵌合穴又は第１の嵌合枠と、前記第１の嵌合穴又は第１の嵌合枠に対して平行に、前記ユニット本体に形成された第２の嵌合穴又は第２の嵌合枠とで構成し、
前記係合片は、前記第１の嵌合穴又は第１の嵌合枠に嵌合する第１の係合爪と、前記第２の嵌合穴又は第２の嵌合枠に嵌合する第２の係合爪とで構成したことを特徴とする請求項１記載の直列ユニット。
【請求項４】
前記直列ユニット固定部は、アウトレットボックスであり、前記ねじ取付孔は、前記アウトレットボックスに螺着するための取付孔であることを特徴とする請求項１〜３のいずれか１項に記載の直列ユニット。
【請求項５】
前記ねじ取付部には、前記ユニット本体の前面の所定箇所を覆うプレートを取り付けるためのねじ孔が形成されていることを特徴とする請求項４記載の直列ユニット。
【発明の詳細な説明】
【０００１】
【発明の属する技術分野】
【０００２】
本発明は、ＣＡＴＶ（ケーブルテレビ）システム、テレビ共同受信システム等の加入者宅に設置されてテレビジョン受信機の接続に使用される直列ユニットに関するものである。
【０００３】
【従来の技術】
【０００４】
図７は従来の２分岐端子型の直列ユニットの構造とこの取付例を示す分解斜視図、及び図８は図７の直列ユニットの取付後の縦断面図である。
【０００５】
この２分岐端子型の直列ユニット１は、分岐回路が収納された合金製のユニット本体１０と、このユニット本体１０の前面に着脱自在に取り付けられてこの端子部分を覆う合成樹脂製の端子台２０とで、構成されている。ユニット本体１０は、前面（正面）から見て略Ｔ字型の収納ケース構造をしており、この前面に、２個のテレビ接続端子１１−１，１１−２が突設され、背面側に、一対の入出力端子１２が突設されている。ユニット本体１０の前面側の上下には、ユニット本体支持用の支持部材である取付耳部１３−１，１３−２がそれぞれ取り付けられている。各取付耳部１３−１，１３−２には、直列ユニット固定用のねじ取付孔１４、プレート取付用のねじ孔１５、及び木ねじ用の２個のねじ取付孔１６，１６がそれぞれ形成されている。
【０００６】
テレビ接続端子部分を覆う端子台２０は、背面が開口したケース構造をしており、この前面の上下２箇所に、略円筒状の端子孔２１，２１が背面方向に突設され、この内部にテレビ接続端子１１−１，１１−２がそれぞれ収容されている。端子台２０は、係合爪等によってユニット本体１０の前面に着脱自在に装着されている。
【０００７】
このような構造の直列ユニット１をＣＡＴＶシステム等の加入者宅に取り付ける場合、例えば、アウトレットボックス３０及びプレート４０を使用する。
【０００８】
アウトレットボックス３０は、内部に円柱状の直列ユニット固定部３１が立設され、これにねじ穴３２が形成されている。このアウトレットボックス３０を、壁３３の開口部３４内に埋設しておく。プレート４０は、プレート枠４１と、このプレート枠４１の前面に着脱自在に取り付けられる化粧カバー兼用のプレート本体４２とで構成され、絶縁部材（例えば、合成樹脂）で形成されている。プレート枠４１の前面側の上下２箇所には、直列ユニット取付用のねじ孔４３が形成され、更に、全周に複数個のプレート本体取付用の嵌合孔４４が形成されている。
【０００９】
プレート本体４２の前面には、端子台２０の前面側を露出させるための開口部４５が形成され、この開口部４５の前面側高さが、端子台前面の高さと略同一になっている。プレート本体４２の背面側には、図示しない複数個の嵌合爪が突設され、この嵌合爪をプレート枠側の各嵌合孔４４に嵌合することにより、該プレート本体４２をプレート枠４１に着脱自在に固定できるようになっている。
【００１０】
直列ユニット１を取り付けるときには、まず、壁３３の開口部３４から引き出した入力用同軸ケーブル３５−１及び出力用同軸ケーブル３５−２を、Ｆ型接栓３６，３６を用いて直列ユニット１の入出力端子１２，１２に接続する。ユニット本体１０を壁３３の開口部３４に押し込み、各取付耳部１３−１，１３−２のねじ取付孔１４に挿入した取付ねじ３７を、アウトレットボックス側の直列ユニット固定部３１のねじ穴３２にねじ込み、直列ユニット１を固定する。
【００１１】
プレート本体４２と分離したプレート枠４１を取付耳部１３−１，１３−２に接触させ、プレート側の各ねじ孔４３及び取付耳部側の各ねじ孔１５にねじ４６をねじ込み、プレート枠４１を固定する。最後に、プレート本体４２の複数個の嵌合爪をプレート枠側の各嵌合孔４４に嵌入すれば、このプレート本体４２の前面が端子台２０の前面と略同一高さに固定され、取付作業が完了する。
【００１２】
【発明が解決しようとする課題】
【００１３】
しかしながら、従来の直列ユニット１では、次のような課題があった。
【００１４】
ユニット本体１０を支持する各取付耳部１３−１，１３−２の先端側には、ユニット本体１０側に形成された嵌合穴１７に嵌入するための係合爪１３ａが形成されている。係合爪１３ａは、例えば、略矩形状の板状をなし、この平面がユニット本体１０の前面と略平行に配置され、かつ直列ユニット固定部３１側のねじ穴３２方向に対して厚さが小さくなっている。
【００１５】
このような直列ユニット１を取り付ける場合、通常、取付耳部１３−１，１３−２とアウトレットボックス３０の開口端部との間に、壁３３の厚さの間隙が生じる。ユニット本体１０を直列ユニット固定部３１に固定する際に、取付ねじ３７を大きなトルクで締め付けると、係合爪１３ａの厚さが小さいことから、取付耳部１３−１，１３−２のねじ取付孔１４付近に大きな垂直荷重が加わり、図８の矢印方向に撓んでしまう。この結果、取付耳部１３−１，１３−２に取り付けられたプレート４０が変形したり、外れたりするという都合があった。これを防止するためには、取付ねじ３７の締め付けトルクを適正な大きさに調整すればよいが、これには熟練を要し、使い勝手が悪いという問題があった。
【００１６】
本発明は、前記従来技術がもっていた課題を解決し、取付耳部等の支持部材を直列ユニット固定部へ固定するための取付ねじの締め付け方向に対して、高い剛性をもち、撓みを防止できる直列ユニットを提供することを目的とする。
【００１７】
【課題を解決するための手段】
【００１８】
前記課題を解決するために、本発明のうちの請求項１の発明では、テレビ接続端子及び支持部材取付用の係合部を有するユニット本体と、前記係合部に対して着脱自在に係合し、直列ユニット固定部に対して所定の方向に取付ねじで螺着されて前記ユニット本体を支持する支持部材とを備えた直列ユニットであって、前記支持部材を次のように構成している。即ち、前記支持部材は、前記取付ねじが挿入されるねじ取付孔が形成されたねじ取付部と、前記ねじ取付部に対して前記係合部の方向に突設された略矩形状をなし、かつその略矩形状の平面が前記所定の方向と平行に配置された係合片と、を有している。
【００１９】
これにより、直列ユニットをアウトレットボックス等の直列ユニット固定部に取り付ける場合、ねじ取付部に形成されたねじ取付孔に取付ねじを挿入し、この取付ねじを直列ユニット固定部にねじ込めば、該直列ユニットが直列ユニット固定部に固定される。この際、例えば、直列ユニットとアウトレットボックス等の直列ユニット固定部との間に、壁等による間隙があっても、取付ねじの締め付け方向の荷重に対して、係合片が高い剛性をもつので、支持部材の撓みを防止できる。
【００２０】
請求項２の発明では、請求項１の発明において、前記係合部は、前記ユニット本体における対向する第１及び第２の側面のうちの第１の側面に形成された第１の嵌合溝と、前記第２の側面に形成された第２の嵌合溝とで構成している。さらに、前記係合片は、前記第１の嵌合溝に嵌合する第１の係合爪と、前記第２の嵌合溝に嵌合する第２の係合爪とを有し、前記第１と第２の係合爪によって両側から前記第１及び第２の嵌合溝を挟持する構成にしている。
【００２１】
これにより、支持部材をユニット本体に取り付ける場合、支持部材側の第１及び第２の係合爪をユニット本体側の第１及び第２の嵌合溝にそれぞれ挿入すれば、第１及び第２の係合爪によって第１及び第２の嵌合溝が挾持され、ユニット本体に支持部材が取り付けられる。
【００２２】
請求項３の発明では、請求項１の発明において、前記係合部は、前記ユニット本体に形成された第１の嵌合穴又は第１の嵌合枠と、前記第１の嵌合穴又は第１の嵌合枠に対して平行に、前記ユニット本体に形成された第２の嵌合穴又は第２の嵌合枠とで構成している。さらに、前記係合片は、前記第１の嵌合穴又は第１の嵌合枠に嵌合する第１の係合爪と、前記第２の嵌合穴又は第２の嵌合枠に嵌合する第２の係合爪とで構成している。
【００２３】
これにより、支持部材をユニット本体に取り付ける場合、支持部材側の第１及び第２の係合爪をユニット本体側の第１及び第２の嵌合穴又は第１及び第２の嵌合枠に押し込めば、両者が嵌合され、支持部材がユニット本体に取り付けられる。
【００２４】
請求項４の発明では、請求項１〜３のいずれか１項の発明において、前記直列ユニット固定部は、アウトレットボックスであり、前記ねじ取付孔は、前記アウトレットボックスに螺着するための取付孔である。
【００２５】
請求項５の発明では、請求項４の発明において、前記ねじ取付部には、前記ユニット本体の前面の所定箇所を覆うプレートを取り付けるためのねじ孔が形成されている。
【００２６】
【発明の実施の形態】
【００２７】
［実施形態］
【００２８】
（構成）
【００２９】
図１は本発明の実施形態を示す２端子型直列ユニットの一部を省略した分解斜視図、図２は図１の組立後の直列ユニットの前面から見た正面図である。図３（Ａ）〜（Ｃ）は図１中の取付耳部の構成図であり、（Ａ）は正面図、（Ｂ）は側面図、及び（Ｃ）は（Ａ）の中央横断面図である。又、図４は図１の直列ユニットの組立方法を示す説明図である。これらの図面において、従来の図７及び図８中の要素と共通の要素には共通の符号が付されている。
【００３０】
本実施形態の２端子型直列ユニット５０は、分岐回路が収納された合金製等のユニット本体６０と、このユニット本体６０の前面に着脱自在に取り付けられてこの端子部分を覆う絶縁部材製（例えば、合成樹脂製）の端子台８０とで、構成されている。
【００３１】
ユニット本体６０は、前面（正面）から見て略Ｔ字型の収納ケース構造をしており、Ｔ型頭部６１とＴ型ボディ部６２とで構成されている。Ｔ型頭部６１及びＴ型ボディ部６２の前面には、２個のテレビ接続端子６３−１，６３−２が突設され、該Ｔ型頭部６１の背面側底面に、一対の入出力端子６４−１，６４−２が突設されている。Ｔ型頭部６１の前面側の両側部には、各種プレート用の取付枠を取り付けるための取付枠係止部６５−１，６５−２が突設されている。Ｔ型ボディ部６２の前面側下部は、Ｔ型頭部６１の前面に対して略平行に両側面方向に突出しており、この両突出部分に、各種プレート用の取付枠を取り付けるための取付枠係止部６５−３，６５−４が突設されている。各取付枠係止部６５−１〜６５−４の近傍には、前面方向に、他の形状の取付枠係止部６６−１，６６−２，６６−３，６６−４がそれぞれ突設されている。
【００３２】
各取付枠係止部６５−１〜６５−４の背面側には、支持部材（例えば、合成樹脂製等の取付耳部）７０−１，７０−２を着脱自在に装着するための係合部である嵌合溝（例えば、耳嵌入溝）６７−１，６７−２，６７−３，６７−４がそれぞれ設けられている。Ｔ型ボディ部６２の両突出部分の前面には、端子台８０側の高さ調整用の複数個の突起８２のうちの一部を受け入れるための収容孔６８−１，６８−２が形成されている。Ｔ型ボディ部６２の前面両側部には、端子台８０を着脱自在に固定するための溝状あるいはアーム状の端子台係合部６９−１，６９−２が設けられている。
【００３３】
Ｔ型頭部６１の前面側上部と、Ｔ型ボディ部６２の前面側下部とには、耳嵌入溝６７−１〜６７−４を介して、ユニット本体６０を支持するための取付耳部７０−１，７０−２がそれぞれ取り付けられている。各取付耳部７０−１，７０−２は、ねじ取付部７１−１，７１−２と、この各ねじ取付部７１−１，７１−２に対して耳嵌入溝６７−１〜６７−４の方向に突設された係合片（例えば、係合爪）７２−１，７２−２，７２−３，７２−４とを有している。
【００３４】
各ねじ取付部７１−１，７１−２は、ユニット本体６０の前面に対して平行な略矩形状をしている。これに突設された係合爪７２−１〜７２−４は、耳嵌入溝６７−１〜６７−４に着脱自在に嵌入してこれを挾持固定するためのものであり、段差部７３−１，７３−２を介して耳嵌入溝６７−１〜６７−４の方向にほぼＬ字型に突設された略矩形状をなし、かつその略矩形状の平面がねじ取付部７１−１，７１−２に対して直交する方向に配置され、その幅が大きくなっている。各係合爪７２−１〜７２−４の先端に設けられた爪７２ａは、各耳嵌入溝６７−１〜６７−４と係合するように内側を向いて形成されている。
【００３５】
段差部７３−１，７３−２は、ねじ取付部７１−１，７１−２に対して係合爪７２−１，７２−２を低位置にするために設けられており、この各段差部７３−１，７３−２の背面側に、機械的強度を向上させるための略三角形状の補強部７３ａがそれぞれ形成されている。
【００３６】
各ねじ取付部７１−１，７１−２の段差部７３−１，７３−２寄りには、ボックス取付用のねじ取付孔７４−１，７４−２が形成され、さらにこの近傍の端部寄りに、プレート取付用のねじ孔７５−１，７５−２が形成されると共に、この各ねじ孔７５−１，７５−２の両側に、各２個の例えば木ねじ用のねじ取付孔７６−１，７６−２，７６−３，７６−４が形成されている。
【００３７】
テレビ接続端子部分を覆う端子台８０は、背面が開口したケース構造をしており、この前面の上下２箇所に、略円筒状の端子孔８１−１，８１−２が背面方向に突設され、この内部にテレビ接続端子６３−１，６３−２がそれぞれ収容されている。端子台８０の背面側の開口周縁部には、高さ調整用の複数個の突起８２が突設され、さらにユニット本体側の端子台係合部６９−１，６９−２に係合するための高さの高い一対の係合爪８３と、高さの低い一対の係合爪８４とが、両側面箇所に突設されている。端子台８０は、係合爪８３，８４によってユニット本体６０の前面に着脱自在に装着され、複数個の突起８２によって高さ調整可能な構造になっている。
【００３８】
（取付方法例）
【００３９】
図１の直列ユニット５０を、例えば、図７のようなプレート４０を用いて、壁３３の開口部３４内に埋設されたアウトレットボックス３０に取り付ける場合を説明する。
【００４０】
まず、図１の直列ユニット５０を組み立てるには、図４に示すように、取付耳部７０−１の係合爪７２−１，７２−２をユニット本体側の耳嵌入溝６７−１，６７−２へ押し込む。すると、係合爪７２−１，７２−２が少し押し広げられて耳嵌入溝６７−１，６７−２内を滑り、段差部７３−１がユニット本体側のＴ型頭部６１に当接した後、該係止爪７２−１，７２−２の先端の爪７２ａが耳嵌入溝６７−１，６７−２の端部に係合する。これにより、係合爪７２−１，７２−２で耳嵌入溝６７−１，６７−２を挟んだ状態で取付耳部７０−１が挾持される。同様に、取付耳部７０−２の係止爪７２−３，７２−４を耳嵌入溝６７−３，６７−４へ押し込むと、該取付耳部７０−２の段差部７３−２がユニット本体側のＴ型ボディ部６２に当接すると共に、係合爪７２−３，７２−４の先端の爪７２ａが耳取付溝６７−３，６７−４の端部に係合し、該取付耳部７０−２がユニット本体６０に挾持される。
【００４１】
又、端子台８０の背面側を位置決めしてユニット本体６０の前面に押し付ける。すると、図４の１点鎖線で示すように、端子台側の複数個の突起８２の一部が、ユニット本体６０の前面に当接せずにそのまま押し込まれると共に、他の２個の突起８２が、ユニット本体側の収容孔６８−１，６８−２に挿入され、該端子台８０の背面側の開口周縁部がユニット本体６０の前面に当接する。この際、端子台側の高さの高い係合爪８３，８３は、ユニット本体６０の前面に係合せずにそのまま押し込まれるが、高さの低い係合爪８４，８４は、ユニット本体側の端子台係合部６９−１，６９−２内に挿入されて係合する。これにより、端子台８０が低い高さでユニット本体６０の前面に固定される。
【００４２】
プレート４０として厚さの大きいものを使用する場合には、図４の２点鎖線で示すように、端子台８０を上下に１８０°回転させてユニット本体６０の前面に押し付ける。すると、位置が変わった端子台側の複数個の突起８２がユニット本体６０の前面に当接する。この際、位置が変わった高さの低い係合爪８４，８４は、ユニット本体６０の前面に係合せずにそのまま押し込まれるが、位置が変わった高さの高い係合爪８３，８３が、ユニット本体側の端子台係合部６９−１，６９−１内に挿入されて係合する。このため、端子台８０は、一段高い高さでユニット本体６０の前面に固定される。
【００４３】
このようにして組み立てられた直列ユニット５０を、図５のアウトレットボックス３０に取り付けるには、従来と同様に、壁３３の開口部３４から引き出した入力用同軸ケーブル３５−１及び出力用同軸ケーブル３５−２を、Ｆ型接栓３６，３６を用いて直列ユニット５０の入出力端子６４−１，６４−２に接続する。そして、ユニット本体６０を壁３３の開口部３４に押し込み、取付耳部７０−１，７０−２のねじ取付孔７４−１，７４−２に挿入した取付ねじ３７，３７を、開口部３４内のアウトレットボックス側の直列ユニット固定部３１，３１のねじ穴３２，３２にねじ込む。
【００４４】
この際、アウトレットボックス３０とユニット本体６０との間には、壁３３が存在するので、この壁３３の厚さ分だけ直列ユニット固定部３１，３１とねじ取付部７１−１，７１−２との間に間隙が生じる。このため、取付ねじ３７，３７を大きなトルクで締め付けると、図５の矢印で示すように、ねじ取付孔７４−１，７４−２箇所に大きな荷重が加わる。ところが、本実施形態では、取付耳部側の係合爪７２−１〜７２−４が、ねじ締め付け方向に対して平行でかつ幅が広くなっており、ねじ締め付け方向に対して高い剛性をもっているので、ねじ取付孔７４−１，７４−２付近の撓みを防止することができる。
【００４５】
取付ねじ３７，３７によって直列ユニット５０を壁３３の開口部３４に固定した後、プレート本体４２と分離したプレート枠４１を、取付耳部側のねじ取付部７１−１，７１−２に接触させ、プレート側のねじ孔４３，４３及びねじ取付部側のねじ孔７５−１，７５−２にねじ４６，４６をねじ込み、プレート枠４１を固定する。最後に、プレート本体４２の嵌合爪をプレート枠側の嵌合孔４４，…に嵌入すれば、このプレート本体４２の前面が端子台８０の前面と略同一高さに固定され、取付作業が完了する。
【００４６】
（効果）
【００４７】
本実施形態では、次の（ａ）〜（ｃ）のような効果がある。
【００４８】
（ａ）  取付耳部側の係合爪７２−１〜７２−４が取付ねじ３７，３７の締め付け方向に対して幅が広くなっているので、取付ねじ３７，３７の締め付けトルクが大きくなって、ねじ取付孔７４−１，７４−２付近に大きな垂直荷重が加わっても、剛性が高いので、該ねじ取付孔７４−１，７４−２付近の撓みを防止できる。しかも、一方の係合爪７２−１，７２−３と他方の係合爪７２−２，７２−４との間隔が大きく、これらの係合爪７２−１〜７２−４によって耳嵌入溝６７−１〜６７−４を挾持し、さらに、取付耳部側の段差部７３−１，７３−２及び補強部７３ａによって取付耳部７０−１，７０−２を補強しているので、ねじ締め付け方向に対する剛性がより高く、撓みの防止効果がより大きい。従って、プレート４０が変形したり、外れたりすることを防止できる。その上、係合爪７２−１〜７２−４を差し込んで挾持する構造であるため、着脱が容易で、取り扱いも簡単である。
【００４９】
（ｂ）  端子台８０を上下に１８０°回転させてユニット本体６０の前面側に押し付けるだけで、この端子台８０の高さを２段階に変えることができる。このため、プレート４０の厚さが複数種類ある場合に、用意する端子台８０の高さの種類を１／２に減らすことができる。従って、特別の高さ調整治具を用いることなく、端子台８０を簡単に高さ調整でき、使い勝手が良く、取り付けの作業効率も向上でき、しかも経済性にも優れる。
【００５０】
（ｃ）  取付耳部７０−１，７０−２を着脱自在の構造にすると共に、ユニット本体６０に、２種類の取付枠係止部６５−１〜６５−４と６６−１〜６６−４を設けたので、種々の形状や構造のプレートやボックス取付枠に対して適用できる。
【００５１】
［他の実施形態］
【００５２】
図６（Ａ）〜（Ｃ）は本発明の他の実施形態を示す直列ユニットの部分構成図であり、（Ａ）は嵌合枠の斜視図、（Ｂ）は嵌合穴付近の斜視図、及び（Ｃ）は係合片の斜視図である。
【００５３】
図６（Ａ）では、図１の耳取付溝６７−１〜６７−４に代えて、ユニット本体６０の側面に嵌合枠９０が設けられている。嵌合枠９０には、ユニット本体６０の側面とほぼ平行に挿入孔９１が形成されており、この挿入孔９１に図１等の係合爪７２−１，…を挿入して嵌合すれば、取付耳部７０−１，７０−２の取り付けが可能となる。このような構成では、挿入孔９１に係合爪７２−１，…を挿入して嵌合する構造であるので、上記実施形態の耳嵌入溝６７−１，…に比べて、嵌合強度が大きい。
【００５４】
図６（Ｂ）は、図１の耳嵌入溝６７−１〜６７−４に代えて、ユニット本体６０に嵌合穴１００が形成されている。このような嵌合穴１００に、図１等の取付耳部７０−１，７０−２とほぼ同様の取付耳部７０の係合片７２を挿入して係合することにより、この取付耳部７０を取り付けることができる。このような構成では、図６（Ａ）とほぼ同様に、嵌合強度が大きい。
【００５５】
又、取付耳部７０に設けられた係合爪７２の先端に、外方向に突出する爪７２ｂを設けても良い。このような爪７２ｂを設けた場合、ユニット本体６０側に爪突出部１０１を設け、爪７２ｂを突出させるようにしても良い。
【００５６】
図６（Ｃ）は、図１等の係合爪７２−１，…に代えて、係合片１１０が設けられている。係合片１１０には、先端にスリット１１１が形成され、さらに内側あるいは外側に突起１１２が設けられている。このような係合片１１０を図１の耳嵌入溝６７−１，…、図６（Ａ）の嵌合枠９０、あるいは図６（Ｂ）の嵌合穴１００に挿入して嵌合すれば、図１等の係合爪７２−１，…に比べて、スリット１１１によって突起１１２部分の弾性力が大きいので、着脱がより容易に行える。
【００５７】
［変形例］
【００５８】
本発明では、上記実施形態に限定されず、種々の変形が可能である。この変形例としては、例えば、次の（ｉ）〜（iii）のようなものがある。
【００５９】
（ｉ）  実施形態では、ユニット本体６０に一対の入出力端子６４−１，６４−２を設けた場合について説明したが、終端に使用する直列ユニットでは、１つの入出力端子で良いため、入出力端子６４−１，６４−２のうちのいずれか一方を取り除き、盲蓋を形成するようにしても良い。
【００６０】
（ii）  取付耳部７０，７０−１，７０−２の形状や構造、あるいはこの嵌着構造を図示以外のものに変えても良い。
【００６１】
（iii） 実施形態では、２端子型の直列ユニット５０について説明したが、本発明は１端子型や３端子型以上の直列ユニットについても適用できる。
【００６２】
【発明の効果】
【００６３】
以上詳細に説明したように、請求項１の発明によれば、支持部材を構成する係合片は、ねじ取付部に対して係合部の方向に突設された略矩形状をなし、かつその略矩形状の平面が取付ねじの締め付け方向と平行に配置されているので、取付ねじの締め付け方向に対して係合片の幅が広くなり、取付ねじの締め付けにより加わる荷重に対して、高い剛性を得ることができる。このため、取付ねじの締め付け時においてねじ取付部に生じる撓みを防止できる。従って、直列ユニットの取り付け時に使用されるプレート等の変形や外れ等といった不都合を的確に防止することができる。
【００６４】
請求項２の発明によれば、支持部材に設けた第１及び第２の係合爪を、ユニット本体側の第１及び第２の嵌合溝に嵌合して挾持する構成にしたので、第１と第２の係合爪の間隔を大きくして、この第１及び第２の係合爪で第１及び第２の嵌合溝を両側から挟むことができる。これにより、取付ねじの締め付け方向に対する剛性がより高くなり、より的確に撓みを防止できると共に、支持部材の着脱が容易である。
【００６５】
請求項３の発明によれば、支持部材に設けた第１及び第２の係合爪を、直列ユニット側に設けた第１及び第２の嵌合穴又は第１及び第２の嵌合枠に嵌合するようにしたので、取付ねじの締め付け方向に対する剛性をより向上でき、撓みをより的確に防止できる。
【００６６】
請求項４の発明によれば、直列ユニット固定部としてアウトレットボックスを用いたので、直列ユニットの配線や取り付けが容易に行える。
【００６７】
請求項５の発明によれば、ねじ取付部にねじ孔を形成したので、アウトレットボックス等に取り付ける際のプレートの取り付けが簡単に行える。
【図面の簡単な説明】
【図１】本発明の実施形態を示す２端子型直列ユニットの一部を省略した分解斜視図である。
【図２】図１の組立後の直列ユニットの前面から見た正面図である。
【図３】図１中の取付耳部の構成図であり、（Ａ）は正面図、（Ｂ）は側面図、及び（Ｃ）は（Ａ）の中央横断面図である。
【図４】図１の直列ユニットの組立方法を示す説明図である。
【図５】図１中の直列ユニットの取付時の側面図である。
【図６】本発明の他の実施形態を示す直列ユニットの部分構成図であり、（Ａ）は嵌合枠の斜視図、（Ｂ）は嵌合穴付近の斜視図、及び（Ｃ）は係合片の斜視図である。
【図７】従来の２端子型直列ユニットの取付例を示す分解斜視図である。
【図８】図７の縦断面図である。
【符号の説明】
３０    アウトレットボックス
３１    直列ユニット固定部
３３    壁
３４    開口部
４０    プレート
５０    直列ユニット
６０    ユニット本体
６３−１，６３−２    テレビ接続端子
６４−１，６４−２    入出力端子
６７−１〜６７−４    耳嵌入溝
７０，７０−１，７０−２    取付耳部
７１−１，７１−２    ねじ取付部
７２，７２−１〜７２−４    係合爪
７３−１，７３−２    段差部
７４−１，７４−２，７６−１〜７６−４    ねじ取付孔
７５−１，７５−２    ねじ孔
８０    端子台
８１−１，８１−２    端子孔
９０    嵌合枠
９１    挿入孔
１００    嵌合穴
１０１    爪突出部
１１０    係合片
【図１】
0003720785.tif 000002
【図２】
0003720785.tif 000003
【図３】
0003720785.tif 000004
【図４】
0003720785.tif 000005
【図５】
0003720785.tif 000006
【図６】
0003720785.tif 000007
【図７】
0003720785.tif 000008
【図８】
0003720785.tif 000009